(57)【要約】【課題】複数のスピーカ装置より成るスピーカシステムを音響的にも赤外線の放射にも最適にすることができるようにすることを目的とする。【解決手段】４チャンネル以上のスピーカ装置から成るスピーカシステムであって、フロントの２チャンネルのスピーカ装置１ＦＬ及び１ＦＲが音声信号を伝送する赤外線を発光する赤外線発光手段３Ｌ及び３Ｒを有し、リアの２チャンネルのスピーカ装置１ＲＬ及び１ＲＲがこの赤外線発光手段３Ｌ，３Ｒよりの赤外線を受光する受光手段８Ｌ及び８Ｒを有し、このフロントの２チャンネルのスピーカ装置１ＦＬ及び１ＦＲのこの赤外線発光手段３Ｌ及び３Ｒよりの赤外線の放射角度を可変できるようにしたものである。【選択図】        図１
2004320653.tif 000002
【特許請求の範囲】
【請求項１】
複数のスピーカ装置から成るスピーカシステムであって、
一のスピーカ装置が音声信号を伝送する赤外線を発光する赤外線発光手段を有し、他のスピーカ装置が前記赤外線発光手段よりの赤外線を受光する受光手段を有し、
前記一のスピーカ装置の前記赤外線発光手段よりの赤外線の放射角度を可変できるようにしたことを特徴とするスピーカシステム。
【請求項２】
請求項１記載のスピーカシステムにおいて、
前記一のスピーカ装置はフロントスピーカ装置であり、前記他のスピーカ装置はリアスピーカ装置であることを特徴とするスピーカシステム。
【請求項３】
４チャンネル以上のスピーカ装置から成るスピーカシステムであって、
フロントの２チャンネルのスピーカ装置が音声信号を伝送する赤外線を発光する赤外線発光手段を有し、リアの２チャンネルのスピーカ装置が前記赤外線発光手段よりの赤外線を受光する受光手段を有し、
前記フロントの２チャンネルのスピーカ装置の前記赤外線発光手段よりの赤外線の放射角度を可変できるようにしたことを特徴とするスピーカシステム。
【発明の詳細な説明】
【０００１】
【発明の属する技術分野】
本発明は例えばフロントのスピーカ装置が２チャンネル、リアのスピーカ装置が２チャンネルのホームシアター等に使用して好適なスピーカシステムに関する。
【０００２】
【従来の技術】
従来、４チャンネル以上のスピーカ装置を使用してホームシアターを実現するスピーカシステムにおいて、フロントのスピーカ装置からリアのスピーカ装置へのケーブルを不要とし、音声信号を赤外線でフロントのスピーカ装置からリアのスピーカ装置に伝送するようにしたスピーカシステムが提案されている（特許文献１）。
【０００３】
【特許文献１】
特開２００１−２７５１９４号公報
【０００４】
【発明が解決しようとする課題】
例えばフロントのスピーカ装置が２チャンネル、リアのスピーカ装置が２チャンネルから構成されたスピーカシステムのホームシアターで、リアのスピーカ装置を２チャンネル共に赤外線の受光手段を設けケーブルを不要としたときに、特許文献１に示す如く音声信号を伝送する赤外線を発光する赤外線発光手段を１個所のみに持つ構成において、その赤外線発光手段の直前を遮られたときは、このリアの２チャンネルのスピーカ装置の受光手段の受信状態が悪化し、良好な音声を放音できない不都合があった。
【０００５】
そこで、この赤外線発光手段を２個所に設け、この２個所から同じ信号の赤外線を同時に放射し、このリアの２チャンネルのスピーカ装置の受光手段もこの２個所の両方の赤外線を受光できるようにしたときには、この受信状態の悪化を大幅に改善することができる。
【０００６】
ところでフロントのスピーカ装置が２チャンネルあり、一般に比較的見通しの良い位置に設置されることが多いので、新たに２チャンネル分の赤外線発光手段を別筐体にすることなく、このフロントの２チャンネルのスピーカ装置に夫々この赤外線発光手段を設置することが好都合である。
【０００７】
然しながら、スピーカ装置の音声の放音には図５Ａに示すような指向特性ａを持つと共に赤外線発光手段よりの赤外線の放射には図５Ｂに示す如き指向特性ｂを持っている。
【０００８】
この為、図６に示す如く、２チャンネルのフロントのスピーカ装置１ＦＬ及び１ＦＲを音響的に最適な再生となる如く部屋に設置したときには、フロントの左スピーカ装置１ＦＬの赤外線発光手段よりの赤外線の受信範囲が破線ｂＬに示す如くなり、フロントの右スピーカ装置１ＦＲの赤外線発光手段よりの赤外線の受信範囲が破線ｂＲに示す如くなり、リアのスピーカ装置１ＲＬ及び１ＲＲには最適な向きとはならず、このリアのスピーカ装置１ＲＬ及び１ＲＲに両方の赤外線発光手段よりの赤外線を供給することができない。
【０００９】
また図７に示す如くフロントの２チャンネルのスピーカ装置１ＦＬ及び１ＦＲの赤外線発光手段よりの赤外線の両方がリアの２チャンネルのスピーカ装置１ＲＬ及び１ＲＲの受光手段の受信範囲ｂＬ，ｂＲとしたときにはフロントのスピーカ装置１ＦＬ及び１ＦＲの向きを音響的に最適な向きとできず音響的に最適な再生ができない。
【００１０】
本発明は斯る点に鑑み複数のスピーカ装置より成るスピーカシステムを音響的にも赤外線の放射にも最適にすることができるようにすることを目的とする。
【００１１】
【課題を解決するための手段】
本発明スピーカシステムは複数のスピーカ装置から成るスピーカシステムであって、一のスピーカ装置が音声信号を伝送する赤外線を発光する赤外線発光手段を有し、他のスピーカ装置がこの赤外線発光手段よりの赤外線を受光する受光手段を有し、この一のスピーカ装置の赤外線発光手段よりの赤外線の放射角度を可変できるようにしたものである。
【００１２】
斯る本発明によれば、一のスピーカ装置の赤外線発光手段よりの赤外線の放射角度を可変できるようにしたので一のスピーカ装置の向きを音響的に最適な再生向きとしたときにも、この赤外線の放射角度を可変することにより赤外線の放射方向を最適なものとすることができる。
【００１３】
また本発明スピーカシステムは４チャンネル以上のスピーカ装置から成るスピーカシステムであって、フロントの２チャンネルのスピーカ装置が音声信号を伝送する赤外線を発光する赤外線発光手段を有し、リアの２チャンネルのスピーカ装置がこの赤外線発光手段よりの赤外線を受光する受光手段を有し、このフロントの２チャンネルのスピーカ装置のこの赤外線発光手段よりの赤外線の放射角度を可変できるようにしたものである。
【００１４】
斯る本発明によればフロントの２チャンネルのスピーカ装置を音響的に最適な再生となる如く部屋に設置したときにも、このフロントの２チャンネルのスピーカ装置に設けた赤外線発光手段よりの赤外線の放射角度を可変できるので、このフロントの２チャンネルのスピーカ装置の赤外線発光手段よりの赤外線の両方の受信範囲内にリアの２チャンネルのスピーカ装置を位置させることができる。
【００１５】
【発明の実施の形態】
以下、図面を参照して本発明スピーカシステムの実施の形態の例につき説明する。
【００１６】
本例によるスピーカシステムは図１に示す如く、フロントの２チャンネルの左スピーカ装置１ＦＬ及び右スピーカ装置１ＦＲとのリアの２チャンネルの左スピーカ装置１ＲＬ及び右スピーカ装置１ＲＲとの４チャンネルのスピーカ装置で構成する。本例においては、このフロントの左スピーカ装置１ＦＬ及び右スピーカ装置１ＦＲに夫々アンプ装置よりの左フロント音声信号ＦＬ及び右フロント音声信号ＦＲを供給する如くする。
【００１７】
本例においては、このフロントの２チャンネルのスピーカ装置１ＦＬ及び１ＦＲの夫々の筐体２の上に赤外線発光ダイオード等より成る赤外線発光手段３Ｌ及び３Ｒを設置する如くする。この赤外線発光手段３Ｌ，３Ｒは図２Ａ，Ｂ，Ｃに示す如く、このスピーカ装置１ＦＬ，１ＦＲの筐体２上で、水平に角度が調整できる如くし、赤外線の放射角度が調整できる如く設置する。
【００１８】
例えば、この赤外線発光ダイオード等より成る赤外線発光手段３Ｌ，３Ｒを図２に示す如く筐体４内に配したときには、この筐体４の中心部をスピーカ装置１ＦＬ，１ＦＲの筐体２上に回動自在に設置する如くする。
【００１９】
この赤外線発光手段３Ｌ及び３Ｒに図１及び図４Ａに示す如き信号を供給する如くする。即ち図１及び図４Ａにおいて、５ＲＬはリアの左スピーカ装置１ＲＬに供給する左リア音声信号入力端子を示し、この左リア音声信号入力端子５ＲＬに供給される左リア音声信号ＲＬを音声信号処理回路６に供給すると共に右リア音声信号入力端子５ＲＲに供給される右リア音声信号ＲＲを音声信号処理回路６に供給する。
【００２０】
この音声信号処理回路６にて、この左リア音声信号ＲＬ及び右リア音声信号ＲＲを合体し、この合体したリア音声信号を変調回路７を介して、この同一の変調信号を赤外線発光手段３Ｌ及び３Ｒに供給し、この２つの赤外線発光手段３Ｌ及び３Ｒより同一の赤外線を放射する如くする。
【００２１】
本例においては、リアの２チャンネルの左スピーカ装置１ＲＬ及び右スピーカ装置１ＲＲを夫々ワイヤレスとし、このスピーカ装置１ＲＬ及び１ＲＲの筐体上に受光ダイオード等より成る受光手段８Ｌ及び８Ｒを設置する如くする。
【００２２】
この受光手段８Ｌ，８Ｒとリアスピーカ装置１ＲＬ，１ＲＲとの関係を図４Ｂに示す如くする。即ち赤外線受光手段８Ｌ，８Ｒで受光した赤外線の信号を音声信号処理回路９を介してスピーカ装置１ＲＬ，１ＲＲに供給する如くする。
【００２３】
この場合、夫々の音声信号処理回路９にて左リア音声信号ＲＬ及び右リア音声信号ＲＲを判別し、夫々の信号を左リアスピーカ装置１ＲＬ及び右リアスピーカ装置１ＲＲに供給する如くする。
【００２４】
本例は上述の如く構成されているので、まず図３に示す如く、フロントの２チャンネルのスピーカ装置１ＦＬ及び１ＦＲとリアの２チャンネルのスピーカ装置１ＲＬ及び１ＲＲとを音響的に最適な再生となる向き及び位置に部屋に設置する。次にフロントの２チャンネルのスピーカ装置１ＦＬ及び１ＦＲの筐体２上に設置した赤外線発光手段３Ｌ及び３Ｒの赤外線の放射方向を調整し、フロントの左スピーカ装置１ＦＬの筐体２上の赤外線発光手段３Ｌよりの赤外線放射の受信範囲ｂＬにリアの２チャンネルのスピーカ装置１ＲＬ及び１ＲＲが入るようにすると共にフロントの右スピーカ装置１ＦＲの筐体２上の赤外線発光手段３Ｒよりの赤外線放射の受信範囲ｂＲにリアの２チャンネルのスピーカ装置１ＲＬ及び１ＲＲが入るようにする。
【００２５】
斯る本例によればフロントの２チャンネルのスピーカ装置１ＦＬ及び１ＦＲを音響的に最適な再生となる如く部屋に設置したときにも、このフロントの２チャンネルのスピーカ装置１ＦＬ及び１ＦＲに設けた赤外線発光手段よりの赤外線の放射角度を可変できるので、このフロントの２チャンネルのスピーカ装置１ＦＬ及び１ＦＲの赤外線発光手段３Ｌ及び３Ｒよりの赤外線の両方の受信範囲内にリアの２チャンネルのスピーカ装置１ＲＬ及び１ＲＲを位置することができ、リアの２チャンネルのスピーカ装置１ＲＬ及び１ＲＲより良好の音声を放音することができる。
【００２６】
尚上述例においては赤外線発光手段３Ｌ，３Ｒよりの赤外線放射角度を水平方向に可変できる如く述べたが、水平方向ばかりでなく垂直方向等その他の方向に可変できるようにしても良い。
【００２７】
また赤外線発光手段３Ｌ，３Ｒに複数の発光素子を有し、この複数の発光素子が異なる方向に放射している場合にも本発明を適用することができる。
【００２８】
また、赤外線発光手段３Ｌ，３Ｒの可動部が、２箇所以上に分割され、そのそれぞれが赤外線放射角度を可変できるようにしてもよい。
【００２９】
また、本発明は上述例に限ることなく本発明の要旨を逸脱することなく、その他種々の構成が採り得ることは勿論である。
【００３０】
【発明の効果】
本発明によればフロントの２チャンネルのスピーカ装置を音響的に最適な再生となる如く部屋に設置したときにも、このフロントの２チャンネルのスピーカ装置に設けた赤外線発光手段よりの赤外線の放射角度を可変できるので、このフロントの２チャンネルのスピーカ装置の赤外線発光手段よりの赤外線の両方の受信範囲内にリアの２チャンネルのスピーカ装置を位置することができ、リアの２チャンネルのスピーカ装置より良好の音声を放音することができる。
【図面の簡単な説明】
【図１】本発明スピーカシステムの実施の形態の例を示す構成図である。
【図２】本発明によるスピーカ装置の例を示す斜視図である。
【図３】本発明の説明に供する線図である。
【図４】本発明の説明に供するブロック図である。
【図５】本発明の説明に供する線図である。
【図６】従来例の説明に供する線図である。
【図７】従来例の説明に供する線図である。
【符号の説明】
１ＦＬ，１ＦＲ‥‥フロントのスピーカ装置、１ＲＬ，１ＲＲ‥‥リアのスピーカ装置、２‥‥筐体、３Ｌ，３Ｒ‥‥赤外線発光手段、５ＲＬ‥‥左リア音声信号入力端子、５ＲＲ‥‥右リア音声信号入力端子、６，９‥‥音声信号処理回路、７‥‥変調回路、８Ｌ，８Ｒ‥‥受光手段
【図１】
2004320653.tif 000003
【図２】
2004320653.tif 000004
【図３】
2004320653.tif 000005
【図４】
2004320653.tif 000006
【図５】
2004320653.tif 000007
【図６】
2004320653.tif 000008
【図７】
2004320653.tif 000009